(57)【要約】【課題】  ＣＡＴＶ共聴ラインＬが切断された場合、ＣＡＴＶシステムと切り離して個別に受信動作することができる告知放送受信機を実現する。【解決手段】  告知放送信号の搬送波の有無を検出し、搬送波無しを検出した時には、ＣＡＴＶ共聴ラインＬに断線等の線路障害が発生したと見做して、内部アンテナ５に切替えると共に、一般放送を受信するために局部発振周波数を可変にする構成を備える。これにより、ＣＡＴＶ共聴ラインＬが切断しても、ＣＡＴＶシステムと切り離して個別に受信動作することができる。【選択図】  図３
2006121729.tif 000002
【特許請求の範囲】
【請求項１】
信号伝送路を介して入力される告知放送の搬送波の有無を検出する検出手段と、
この検出手段が搬送波無しを検出した場合、前記信号伝送路に替えて自己が備える空中線に切替え、当該空中線を介して一般放送を受信すべく選局操作に応じて局部発振周波数を可変制御する同調手段と
を具備することを特徴とする告知放送受信機。
【請求項２】
前記同調手段は、前記検出手段が搬送波無しを検出した場合、前記信号伝送路に替えて自己が備える空中線に切替え、当該空中線を介して予め定められた周波数の非常放送信号に同調することを特徴とする請求項１記載の告知放送受信機。
【請求項３】
告知放送受信機の筺体において、告知放送サービス加入者宅に備えられる直列ユニットの電源コンセントとテレビ端子とにそれぞれ対向する位置関係に電源プラグとコネクタ端子とを設け、前記直列ユニットに対して筺体を着脱自在としたことを特徴とする告知放送受信機。
【発明の詳細な説明】
【技術分野】
【０００１】
本発明は、ＣＡＴＶシステムに用いて好適な告知放送受信機に関する。
【背景技術】
【０００２】
近年、ＣＡＴＶシステムの加入者宅に設置され、ＣＡＴＶセンタからの生活情報等を知らせる一般告知放送や、災害時の緊急放送を受信する告知放送受信機が実用化されている。
図４は、このような告知放送受信機の一構成例を示すブロック図である。この図において、ＩＮは、加入者宅内に設置され、ＣＡＴＶ共聴ラインＬに接続される直列ユニットに接続される端子である。１０は端子ＩＮを介して入力されるＣＡＴＶ信号にバンドパスフィルタリングを施して告知放送周波数帯域（例えば７４ＭＨｚ帯）を抽出し、これを高周波増幅して出力するＲＦ増幅部である。
【０００３】
１１は水晶発振回路等から構成される局部発振部であり、受信周波数に対応した局部発振信号ＬＯを発生する。１２は混合部であり、ＲＦ増幅部１０の出力と局部発振信号とをミキシングしてＩＦ（中間周波数）信号を発生する。１３はＩＦ増幅検波部である。このＩＦ増幅検波部１３は、混合部１２の出力にバンドパスフィルタリングを施してＩＦ信号（１０．７ＭＨｚ）を抽出して増幅した後、これにＦＭ検波を施して音声信号ＳＳを復調出力する。１４は音量コントロール回路であり、ＩＦ増幅検波部１３が発生するＦＭ復調出力にローパスフィルタリングを施して音声信号ＳＳの低域側に多重されている制御用トーン信号ＴＣを抽出して出力する。
【０００４】
１５は、音量調節ボリウム等の操作子から供給される操作子信号に基づいて音声信号ＳＳをレベル調整するボリウム回路である。このボリウム回路１５は、上記制御用トーン信号ＴＣが供給された場合、操作子信号に依らず強制的に最大音量レベルの音声信号ＳＳを出力する。１６は出力増幅部であり、上記ボリウム回路１５から供給される音声信号ＳＳのレベルを増幅して後段のスピーカＳＰより放音させる。１７は交流１００Ｖ入力に基づき直流駆動電圧ＤＣを発生する電源であり、停電に際してはリレーＲＬの切片がバッテリＢＡＴ側へ接続されてバッテリバックアップされる。
上記構成によれば、告知放送を受信する時には音量調整ボリウムの操作に応じた音量レベルで聴取できる一方、制御用トーン信号が多重される緊急放送を受信した時には、音量コントロール回路１４がこの制御用トーン信号ＴＣを抽出してボリウム回路１５を強制的に最大音量レベルに設定するようになっている。
従来の告知放送受信機としては、以下の特許文献に記載のものがある。
【０００５】
【特許文献１】特開平１−２２０５９０号公報
【特許文献２】特開昭６２−１４４４２９号公報
【発明の開示】
【発明が解決しようとする課題】
【０００６】
ところで、上述した従来の告知放送受信機においては、地震や火災等の災害により信号伝送路（ＣＡＴＶ共聴ラインＬ）が切断されると、端子ＩＮにＣＡＴＶ信号が供給されなくなる為、受信機自体がバッテリバックアップされて受信機能を維持しているにもかかわらず、放送を受信できなくなるという問題がある。
また、告知放送受信機は、加入者宅内にて固定的に設置される場合が多く、上述のように線路障害が発生して受信動作し得なくなる場合、容易に取り外して携帯型の受信機として取り扱うことができないという弊害も生じている。
【０００７】
そこで、本発明は、上述した事情に鑑みてなされたもので、ＣＡＴＶ共聴ラインＬが切断された場合、ＣＡＴＶシステムと切り離して個別に受信動作することができる告知放送受信機を提供することを目的としている。
【課題を解決するための手段】
【０００８】
上記目的を達成するため、請求項１に記載の発明では、信号伝送路を介して入力される告知放送の搬送波の有無を検出する検出手段と、この検出手段が搬送波無しを検出した場合、前記信号伝送路に替えて自己が備える空中線に切替え、当該空中線を介して一般放送を受信すべく選局操作に応じて局部発振周波数を可変制御する同調手段とを具備することを特徴としている。
【０００９】
上記請求項１に従属する請求項２に記載の発明では、前記同調手段は、前記検出手段が搬送波無しを検出した場合、前記信号伝送路に替えて自己が備える空中線に切替え、当該空中線を介して予め定められた周波数の非常放送信号に同調することを特徴とする。
【００１０】
また、請求項３に記載の発明では、告知放送受信機の筺体において、告知放送サービス加入者宅に備えられる直列ユニットの電源コンセントとテレビ端子とにそれぞれ対向する位置関係に電源プラグとコネクタ端子とを設け、前記直列ユニットに対して筺体を着脱自在としたことを特徴とする。
【００１１】
本発明では、信号伝送路を介して入力される告知放送の搬送波の有無を検出する検出手段が搬送波無しを検出した場合、すなわち、信号伝送路に断線等の線路障害が生じた時には、同調手段が信号伝送路に替えて自己が備える空中線に切替え、当該空中線を介して一般放送を受信すべく選局操作に応じて局部発振周波数を可変制御する。
これにより、ＣＡＴＶ共聴ラインＬが切断された場合には、ＣＡＴＶシステムと切り離して個別に受信動作し得る告知放送受信機が具現する。
【発明の効果】
【００１２】
本発明によれば、信号伝送路を介して入力される告知放送の搬送波の有無を検出する検出手段が搬送波無しを検出した場合、同調手段が信号伝送路に替えて自己が備える空中線に切替え、当該空中線を介して一般放送を受信すべく選局操作に応じて局部発振周波数を可変制御するので、ＣＡＴＶ共聴ラインが切断された場合には、ＣＡＴＶシステムと切り離して個別に受信動作することができる。
また、告知放送受信機の筺体において、告知放送サービス加入者宅に備えられる直列ユニットの電源コンセントとテレビ端子とにそれぞれ対向する位置関係に電源プラグとコネクタ端子とを設けたので、前記直列ユニットに対して筺体を容易に着脱することができる。
【実施例】
【００１３】
本発明による告知放送受信機は、ＣＡＴＶシステムや、ＣＡＴＶを用いたセキュリティ・システムあるいは有線放送に適用され得る。以下では、本発明の実施の形態である告知放送受信機を実施例として図面を参照して説明する。
（１）実施例の構造
図１は、本発明の一実施例による告知放送受信機の構造を示す外観図である。この図において、１は筺体であり、そのパネル面には表示用ＬＥＤ１ａ〜１ｄ、音量調整操作子１ｅ、選局操作子１ｆおよびバンド切替えスイッチ１ｇが設けられている。なお、ＬＥＤ１ａはＣＡＴＶシステムを介して一般告知放送を受信する際に点灯駆動される発光ダイオード、ＬＥＤ１ｂはＣＡＴＶシステムを介して緊急放送を受信する際に点灯駆動される発光ダイオードである。ＬＥＤ１ｃおよびＬＥＤ１ｄは、それぞれＣＡＴＶ共聴ラインＬの断線の有無に応じて点灯・消灯制御される発光ダイオードであり、その意図するところについては後述する。
【００１４】
こうしたパネル構造を備える筺体１の背面側には、図２に示すように、コネクタＴ１とプラグＰＧとが配設されている。このコネクタＴ１とプラグＰＧとは、ＣＡＴＶシステム加入者宅に設けられる直列ユニットＵＴのＡＣコンセントＣＯＮおよびテレビ端子ＴＴに対向する位置関係にて筺体１の背面側に配置されている。このようにすることで、直列ユニットＵＴのＡＣコンセントＣＯＮおよびテレビ端子ＴＴに対してコネクタＴ１とプラグＰＧとが一挙動で着脱することができ、緊急の際に容易に取り外して携行することが可能になる。
【００１５】
（２）実施例の構成
次に、図３を参照して実施例の構成について説明する。ところで、本実施例による告知放送受信機は、ＡＭ放送およびＦＭ放送の２バンド受信系統を備え、上述したバンド切替えスイッチ１ｇにて受信系統を切替え可能としているが、以下では、特に、ＣＡＴＶ共聴ラインＬが切断された場合に、ＣＡＴＶシステムと切り離して個別にＦＭ放送を受信可能とした構成について言及する。なお、図３に示す実施例おいて、図４に示した従来例と共通する部分には同一の符号を付し、その説明を省略する。
【００１６】
図３において、２はキャリア検出回路であり、端子ＩＮを介して入力されるＣＡＴＶ信号にバンドパスフィルタリングを施して告知放送周波数帯域（例えば７４ＭＨｚ帯）の搬送波の有無を検出すると共に、そのバンドパス出力を次段へ供給する。この検出回路２は、搬送波の有無を検出した結果に応じて表示制御信号Ｓｄとセレクタ制御信号Ｓｃとを発生する。
３はキャリア検出回路２から出力されるセレクタ制御信号Ｓｃに応じて後述するセレクタＳＥＬ１，ＳＥＬ２を切替え指示するセレクタドライバである。すなわち、セレクタドライバ３は、キャリア検出回路２が搬送波無しを表わすセレクタ制御信号Ｓｃを出力した場合、セレクタＳＥＬ１を内部アンテナ５側に、セレクタＳＥＬ２を可変周波数発振回路７側へ切替え指示する。
【００１７】
４は表示制御信号Ｓｄに応じてＬＥＤ１ｃ，１ｄを点灯駆動する表示ドライバである。ここで、ＬＥＤ１ｃは、キャリア検出回路２が搬送波を検出した状態で点灯駆動され、ＣＡＴＶ共聴ラインＬを介して放送される通常の告知放送を受信する動作モードを表わす。一方、ＬＥＤ１ｄは、ＣＡＴＶ共聴ラインＬの断線によりキャリア検出回路２が搬送波無しを検出した時に点灯駆動され、この場合、上記セレクタＳＥＬ１を介して内部アンテナ５を用いて一般放送を受信する動作モードを表わす。内部アンテナ５は、例えばＦＭ放送受信用のホイップアンテナである。
【００１８】
６は固定周波数発振回路であり、ＣＡＴＶ共聴ラインＬを介して放送される通常の告知放送を受信するための固定局発信号を出力する。可変周波数発振回路７は、前述した選局操作子１ｆの操作により生成される周波数選局コントロール信号Ｓｆに対応した可変局発信号を出力する。これら回路６，７から出力される局発信号のいずれかが、セレクタＳＥＬ２を介して混合部１２へ入力される。
つまり、上述したように、キャリア検出回路２が搬送波を検出している状態では、セレクタＳＥＬ２は固定周波数発振回路６から出力される固定局発信号を選択して混合部１２側へ供給する。これに対し、ＣＡＴＶ共聴ラインＬの断線等によりキャリア検出回路２が搬送波無しを検出した時には、セレクタＳＥＬ２が可変周波数発振回路７から出力される可変局発信号を選択して混合部１２側へ供給する。
【００１９】
（３）実施例の動作
次に、上記構成による実施例の動作について述べる。ここでは、ＣＡＴＶ共聴ラインＬの断線がなく、通常の告知放送を受信する動作と、ＣＡＴＶ共聴ラインＬの断線に応じて一般放送を受信する動作とに分けて説明して行く。
（ａ）通常の受信動作
この場合、ＣＡＴＶ共聴ラインＬを介してＣＡＴＶ信号が端子ＩＮに入力される。そうすると、キャリア検出回路２は搬送波を検出し、これを表わす表示制御信号Ｓｄとセレクタ制御信号Ｓｃとを発生する一方、バンドパス出力となる告知放送信号を次段へ供給する。
したがって、この時、セレクタＳＥＬ１はキャリア検出回路２から出力される告知放送信号をＲＦ増幅部１０側へ供給し、一方、セレクタＳＥＬ２は固定周波数発振回路６から出力される固定局発信号を選択して混合部１２側へ供給する。
【００２０】
この結果、混合部１２では、ＲＦ増幅部１０の出力と固定周波数信号とをミキシングしてＩＦ（中間周波数）信号を発生し、続く、ＩＦ増幅検波部１３にてバンドパスフィルタリングが施されたＩＦ信号（１０．７ＭＨｚ）を増幅した後にＦＭ検波して音声信号ＳＳを発生し、これをボリウム回路１５および出力増幅部１６を介して所定音量でスピーカＳＰより放音する。なお、音声信号ＳＳに制御用トーン信号ＴＣが多重されている時には、従来と同様、音量コントロール回路１４の指示により最大音量レベルで音声信号ＳＳを放音する。
【００２１】
（ｂ）ＣＡＴＶ共聴ラインＬが断線した時の動作
一方、例えば、大規模な地震や火災などの災害によりＣＡＴＶ共聴ラインＬが断線すると、端子ＩＮにはＣＡＴＶ信号が供給されてこないので、キャリア検出回路２は搬送波を検出できず、これに対応した表示制御信号Ｓｄおよびセレクタ制御信号Ｓｃとを発生する。
そうなると、先ず表示ドライバ４では、表示制御信号Ｓｄに基づきＬＥＤ１ｄを点灯駆動し、内部アンテナ５により一般放送を受信する動作モードに遷移したことを表わす一方、ＬＥＤ１ｃを消灯する。また、セレクタドライバ３では、セレクタＳＥＬ１が内部アンテナ５側を選択するよう指示し、かつ、セレクタＳＥＬ２が可変周波数発振回路７側を選択するよう指示する。
【００２２】
この結果、ＲＦ増幅部１０は内部アンテナ５（ホイップアンテナ）を経て入力される一般のＦＭ放送信号を高周波増幅して次段の混合部１２へ供給し、当該混合部１２では、周波数選局コントロール信号Ｓｆに対応した可変周波数信号に基づいてミキシングした所望のＩＦ信号を発生する為、所望の周波数の放送を受信することが可能になる。
【００２３】
このように、本実施例では、告知放送信号の搬送波の有無を検出し、搬送波無しを検出した時には、ＣＡＴＶ共聴ラインＬに断線等の線路障害が発生したと見做して、内部アンテナ５に切替えると共に、一般放送を受信するために局部発振周波数を可変にする構成を有するので、ＣＡＴＶ共聴ラインＬが切断しても、ＣＡＴＶシステムと切り離して個別に受信動作することが可能になる訳である。
また、告知放送受信機の背面側には、直列ユニットＵＴに対向する位置関係でコネクタＴ１とプラグＰＧとを設けた為、直列ユニットＵＴのＡＣコンセントＣＯＮおよびテレビ端子ＴＴに対してコネクタＴ１とプラグＰＧとをワンタッチで挿抜することができ、緊急の際に容易に取り外して携行し得る。
さらに、こうして直列ユニットから告知放送受信機を取り外した場合においても、ＣＡＴＶ共聴ラインＬが断線した時と同様な状態になるため、内部アンテナ５に切替えると共に、一般放送を受信すべく局部発振周波数を可変にするので、通常の携帯ラジオと同等に扱うことができる。
【００２４】
なお、上述した実施例においては、搬送波の有無に応じて固定周波数発振回路６あるいは可変周波数発振回路７のいずれかを選択的に切替える構成としたが、これに限らず、復調系をＰＬＬ（位相同期ループ）回路で構成し、搬送波の有無に応じてＶＣＯ（電圧制御発振器）を制御する方式としても良い。
また、本実施例では、ＣＡＴＶ共聴ラインＬが断線した時に内部アンテナ５に切替えると共に、一般放送を受信すべく局部発振周波数を可変にしたが、これに替えて、予め定められた周波数の非常放送や、防災無線あるいは行政無線のチャンネルを受信する形態としても良い。このようにすることで、ＣＡＴＶ共聴ラインＬが断線する規模の災害が発生した時に、迅速に防災情報を聴取することが可能になる。
【図面の簡単な説明】
【００２５】
【図１】本発明による一実施例の外観を示す外観図である。
【図２】同実施例の筺体背面に設けられるプラグＰＧおよびコネクタＴ１の配置位置を説明するための図である。
【図３】同実施例の構成を示すブロック図である。
【図４】従来例の構成を示すブロック図である。
【符号の説明】
【００２６】
１  筺体
２  キャリア検出回路（検出手段）
３  セレクタドライバ（同調手段）
４  表示ドライバ
５  内部アンテナ（空中線）
６  固定周波数発振回路
７  可変周波数発振回路（同調手段）
ＳＥＬ１，ＳＥＬ２  セレクタ（同調手段）
【図１】
2006121729.tif 000003
【図２】
2006121729.tif 000004
【図３】
2006121729.tif 000005
【図４】
2006121729.tif 000006
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
信号伝送路に接続され信号伝送路を介して入力される告知放送の有無を検出する検出手段と、
空中線により無線放送を受信するアンテナと、
前記信号伝送路から告知放送もしくは前記受信用アンテナから受信した無線放送のいずれかに切り換えて放送する切り換え手段と、を備え、
前記切り替え手段は、前記検出手段が告知放送を検出した場合に前記信号伝送路からの告知放送側に切り換えることを特徴とする告知放送受信機。
【請求項２】
さらに、前記切り換え手段の状態を表示する表示手段を設けたことを特徴とする請求項１記載の告知放送受信機。
【請求項３】
信号伝線路に接続された信号電線路を介して入力される告知放送の有無を検出する検出手段と、
空中線により無線放送を受信する筐体に設けたアンテナと、
前記検出手段の検出状態を表示する表示手段と、
前記信号伝送路からの告知放送もしくは前記受信用アンテナから受信した無線放送のいずれかを切り換えて放送する切り換え手段と、
を具備することを特徴とする告知放送受信機
【請求項４】
前記切り換え手段は、前記検出手段が告知放送を検出した場合に前記信号伝送路からの告知放送側に切り換えることを特徴とする請求項３記載の告知放送受信機。
【請求項５】
さらに、前記受信用アンテナにより受信して放送する無線放送の受信周波数を可変制御する選局手段を設けたことを特徴とする請求項１乃至３のいずれかに記載の告知放送受信機。
【手続補正２】
【補正対象書類名】明細書
【補正対象項目名】全文
【補正方法】変更
【補正の内容】
【発明の詳細な説明】
【技術分野】
【０００１】
本発明は、ＣＡＴＶシステムに用いて好適な告知放送受信機に関する。
【背景技術】
【０００２】
近年、ＣＡＴＶシステムの加入者宅に設置され、ＣＡＴＶセンタからの生活情報等を知らせる一般告知放送や、災害時の緊急放送を受信する告知放送受信機が実用化されている。
図４は、このような告知放送受信機の一構成例を示すブロック図である。この図において、ＩＮは、加入者宅内に設置され、ＣＡＴＶ共聴ラインＬに接続される直列ユニットに接続される端子である。１０は端子ＩＮを介して入力されるＣＡＴＶ信号にバンドパスフィルタリングを施して告知放送周波数帯域（例えば７４ＭＨｚ帯）を抽出し、これを高周波増幅して出力するＲＦ増幅部である。
【０００３】
１１は水晶発振回路等から構成される局部発振部であり、受信周波数に対応した局部発振信号ＬＯを発生する。１２は混合部であり、ＲＦ増幅部１０の出力と局部発振信号とをミキシングしてＩＦ（中間周波数）信号を発生する。１３はＩＦ増幅検波部である。このＩＦ増幅検波部１３は、混合部１２の出力にバンドパスフィルタリングを施してＩＦ信号（１０．７ＭＨｚ）を抽出して増幅した後、これにＦＭ検波を施して音声信号ＳＳを復調出力する。１４は音量コントロール回路であり、ＩＦ増幅検波部１３が発生するＦＭ復調出力にローパスフィルタリングを施して音声信号ＳＳの低域側に多重されている制御用トーン信号ＴＣを抽出して出力する。
【０００４】
１５は、音量調節ボリウム等の操作子から供給される操作子信号に基づいて音声信号ＳＳをレベル調整するボリウム回路である。このボリウム回路１５は、上記制御用トーン信号ＴＣが供給された場合、操作子信号に依らず強制的に最大音量レベルの音声信号ＳＳを出力する。１６は出力増幅部であり、上記ボリウム回路１５から供給される音声信号ＳＳのレベルを増幅して後段のスピーカＳＰより放音させる。１７は交流１００Ｖ入力に基づき直流駆動電圧ＤＣを発生する電源であり、停電に際してはリレーＲＬの切片がバッテリＢＡＴ側へ接続されてバッテリバックアップされる。
上記構成によれば、告知放送を受信する時には音量調整ボリウムの操作に応じた音量レベルで聴取できる一方、制御用トーン信号が多重される緊急放送を受信した時には、音量コントロール回路１４がこの制御用トーン信号ＴＣを抽出してボリウム回路１５を強制的に最大音量レベルに設定するようになっている。
従来の告知放送受信機としては、以下の特許文献に記載のものがある。
【０００５】
【特許文献１】特開平１−２２０５９０号公報
【特許文献２】特開昭６２−１４４４２９号公報
【発明の開示】
【発明が解決しようとする課題】
【０００６】
ところで、上述した従来の告知放送受信機においては、地震や火災等の災害により信号伝送路（ＣＡＴＶ共聴ラインＬ）が切断されると、端子ＩＮにＣＡＴＶ信号が供給されなくなる為、受信機自体がバッテリバックアップされて受信機能を維持しているにもかかわらず、放送を受信できなくなるという問題がある。
また、告知放送受信機は、加入者宅内にて固定的に設置される場合が多く、上述のように線路障害が発生して受信動作し得なくなる場合、容易に取り外して携帯型の受信機として取り扱うことができないという弊害も生じている。
【０００７】
そこで、本発明は、上述した事情に鑑みてなされたもので、ＣＡＴＶ共聴ラインＬが切断された場合、ＣＡＴＶシステムと切り離して個別に受信動作することができる告知放送受信機を提供することを目的としている。
【課題を解決するための手段】
【０００８】
上記目的を達成するため、請求項１記載の告知放送受信機は、信号伝送路に接続され信号伝送路を介して入力される告知放送の有無を検出する検出手段と、
空中線により無線放送を受信するアンテナと、
前記信号伝送路から告知放送もしくは前記受信用アンテナから受信した無線放送のいずれかに切り換えて放送する切り換え手段と、を備え、
前記切り替え手段は、前記検出手段が告知放送を検出した場合に前記信号伝送路からの告知放送側に切り換えることを特徴とする。
【０００９】
上記請求項１に従属する請求項２記載の告知放送受信機は、さらに、前記切り換え手段の状態を表示する表示手段を設けたことを特徴とする。
【００１０】
また、請求項３記載の告知放送受信機は、信号伝線路に接続された信号電線路を介して入力される告知放送の有無を検出する検出手段と、
空中線により無線放送を受信する筐体に設けたアンテナと、
前記検出手段の検出状態を表示する表示手段と、
前記信号伝送路からの告知放送もしくは前記受信用アンテナから受信した無線放送のいずれかを切り換えて放送する切り換え手段と、
を具備することを特徴とする。
また、請求項３記載の告知放送受信機は、前記切り換え手段は、前記検出手段が告知放送を検出した場合に前記信号伝送路からの告知放送側に切り換えることを特徴とする。
また、請求項１乃至３のいずれかに記載の告知放送受信機は、さらに、前記受信用アンテナにより受信して放送する無線放送の受信周波数を可変制御する選局手段を設けたことを特徴とする。
【００１１】
本発明では、信号伝送路を介して入力される告知放送の有無を検出する検出手段が告知放送を検出した場合には、切り替え手段が信号伝送路からの信号を受信するＣＡＴＶ共聴ラインＬ（つまり告知放送側）に切り換える。
【発明の効果】
【００１２】
本発明によれば、信号伝送路を介して入力される告知放送の有無を検出する検出手段が告知放送の無しを検出した場合、切り換え手段が受信用アンテナから受信した無線放送に切り換えて放送し、また、切り替え手段が検出手段が告知放送を検出した場合には信号伝送路からの告知放送側に切り換えて放送するので、ＣＡＴＶ共聴ラインが切断された場合には、ＣＡＴＶシステムと切り離して個別に受信動作することができる。
【実施例】
【００１３】
本発明による告知放送受信機は、ＣＡＴＶシステムや、ＣＡＴＶを用いたセキュリティ・システムあるいは有線放送に適用され得る。以下では、本発明の実施の形態である告知放送受信機を実施例として図面を参照して説明する。
（１）実施例の構造
図１は、本発明の一実施例による告知放送受信機の構造を示す外観図である。この図において、１は筺体であり、そのパネル面には表示用ＬＥＤ１ａ〜１ｄ、音量調整操作子１ｅ、選局操作子１ｆおよびバンド切替えスイッチ１ｇが設けられている。なお、ＬＥＤ１ａはＣＡＴＶシステムを介して一般告知放送を受信する際に点灯駆動される発光ダイオード、ＬＥＤ１ｂはＣＡＴＶシステムを介して緊急放送を受信する際に点灯駆動される発光ダイオードである。ＬＥＤ１ｃおよびＬＥＤ１ｄは、それぞれＣＡＴＶ共聴ラインＬの断線の有無に応じて点灯・消灯制御される発光ダイオードであり、その意図するところについては後述する。
【００１４】
こうしたパネル構造を備える筺体１の背面側には、図２に示すように、コネクタＴ１とプラグＰＧとが配設されている。このコネクタＴ１とプラグＰＧとは、ＣＡＴＶシステム加入者宅に設けられる直列ユニットＵＴのＡＣコンセントＣＯＮおよびテレビ端子ＴＴに対向する位置関係にて筺体１の背面側に配置されている。このようにすることで、直列ユニットＵＴのＡＣコンセントＣＯＮおよびテレビ端子ＴＴに対してコネクタＴ１とプラグＰＧとが一挙動で着脱することができ、緊急の際に容易に取り外して携行することが可能になる。
【００１５】
（２）実施例の構成
次に、図３を参照して実施例の構成について説明する。ところで、本実施例による告知放送受信機は、ＡＭ放送およびＦＭ放送の２バンド受信系統を備え、上述したバンド切替えスイッチ１ｇにて受信系統を切替え可能としているが、以下では、特に、ＣＡＴＶ共聴ラインＬが切断された場合に、ＣＡＴＶシステムと切り離して個別にＦＭ放送を受信可能とした構成について言及する。なお、図３に示す実施例おいて、図４に示した従来例と共通する部分には同一の符号を付し、その説明を省略する。
【００１６】
図３において、２はキャリア検出回路であり、端子ＩＮを介して入力されるＣＡＴＶ信号にバンドパスフィルタリングを施して告知放送周波数帯域（例えば７４ＭＨｚ帯）の搬送波の有無を検出すると共に、そのバンドパス出力を次段へ供給する。この検出回路２は、搬送波の有無を検出した結果に応じて表示制御信号Ｓｄとセレクタ制御信号Ｓｃとを発生する。
３はキャリア検出回路２から出力されるセレクタ制御信号Ｓｃに応じて後述するセレクタＳＥＬ１，ＳＥＬ２を切替え指示するセレクタドライバである。すなわち、セレクタドライバ３は、キャリア検出回路２が搬送波無しを表わすセレクタ制御信号Ｓｃを出力した場合、セレクタＳＥＬ１を内部アンテナ５側に、セレクタＳＥＬ２を可変周波数発振回路７側へ切替え指示する。
【００１７】
４は表示制御信号Ｓｄに応じてＬＥＤ１ｃ，１ｄを点灯駆動する表示ドライバである。ここで、ＬＥＤ１ｃは、キャリア検出回路２が搬送波を検出した状態で点灯駆動され、ＣＡＴＶ共聴ラインＬを介して放送される通常の告知放送を受信する動作モードを表わす。一方、ＬＥＤ１ｄは、ＣＡＴＶ共聴ラインＬの断線によりキャリア検出回路２が搬送波無しを検出した時に点灯駆動され、この場合、上記セレクタＳＥＬ１を介して内部アンテナ５を用いて一般放送を受信する動作モードを表わす。内部アンテナ５は、例えばＦＭ放送受信用のホイップアンテナである。
【００１８】
６は固定周波数発振回路であり、ＣＡＴＶ共聴ラインＬを介して放送される通常の告知放送を受信するための固定局発信号を出力する。可変周波数発振回路７は、前述した選局操作子１ｆの操作により生成される周波数選局コントロール信号Ｓｆに対応した可変局発信号を出力する。これら回路６，７から出力される局発信号のいずれかが、セレクタＳＥＬ２を介して混合部１２へ入力される。
つまり、上述したように、キャリア検出回路２が搬送波を検出している状態では、セレクタＳＥＬ２は固定周波数発振回路６から出力される固定局発信号を選択して混合部１２側へ供給する。これに対し、ＣＡＴＶ共聴ラインＬの断線等によりキャリア検出回路２が搬送波無しを検出した時には、セレクタＳＥＬ２が可変周波数発振回路７から出力される可変局発信号を選択して混合部１２側へ供給する。
【００１９】
（３）実施例の動作
次に、上記構成による実施例の動作について述べる。ここでは、ＣＡＴＶ共聴ラインＬの断線がなく、通常の告知放送を受信する動作と、ＣＡＴＶ共聴ラインＬの断線に応じて一般放送を受信する動作とに分けて説明して行く。
（ａ）通常の受信動作
この場合、ＣＡＴＶ共聴ラインＬを介してＣＡＴＶ信号が端子ＩＮに入力される。そうすると、キャリア検出回路２は搬送波を検出し、これを表わす表示制御信号Ｓｄとセレクタ制御信号Ｓｃとを発生する一方、バンドパス出力となる告知放送信号を次段へ供給する。
したがって、この時、セレクタＳＥＬ１はキャリア検出回路２から出力される告知放送信号をＲＦ増幅部１０側へ供給し、一方、セレクタＳＥＬ２は固定周波数発振回路６から出力される固定局発信号を選択して混合部１２側へ供給する。
【００２０】
この結果、混合部１２では、ＲＦ増幅部１０の出力と固定周波数信号とをミキシングしてＩＦ（中間周波数）信号を発生し、続く、ＩＦ増幅検波部１３にてバンドパスフィルタリングが施されたＩＦ信号（１０．７ＭＨｚ）を増幅した後にＦＭ検波して音声信号ＳＳを発生し、これをボリウム回路１５および出力増幅部１６を介して所定音量でスピーカＳＰより放音する。なお、音声信号ＳＳに制御用トーン信号ＴＣが多重されている時には、従来と同様、音量コントロール回路１４の指示により最大音量レベルで音声信号ＳＳを放音する。
【００２１】
（ｂ）ＣＡＴＶ共聴ラインＬが断線した時の動作
一方、例えば、大規模な地震や火災などの災害によりＣＡＴＶ共聴ラインＬが断線すると、端子ＩＮにはＣＡＴＶ信号が供給されてこないので、キャリア検出回路２は搬送波を検出できず、これに対応した表示制御信号Ｓｄおよびセレクタ制御信号Ｓｃとを発生する。
そうなると、先ず表示ドライバ４では、表示制御信号Ｓｄに基づきＬＥＤ１ｄを点灯駆動し、内部アンテナ５により一般放送を受信する動作モードに遷移したことを表わす一方、ＬＥＤ１ｃを消灯する。また、セレクタドライバ３では、セレクタＳＥＬ１が内部アンテナ５側を選択するよう指示し、かつ、セレクタＳＥＬ２が可変周波数発振回路７側を選択するよう指示する。
【００２２】
この結果、ＲＦ増幅部１０は内部アンテナ５（ホイップアンテナ）を経て入力される一般のＦＭ放送信号を高周波増幅して次段の混合部１２へ供給し、当該混合部１２では、周波数選局コントロール信号Ｓｆに対応した可変周波数信号に基づいてミキシングした所望のＩＦ信号を発生する為、所望の周波数の放送を受信することが可能になる。
【００２３】
このように、本実施例では、告知放送信号の搬送波の有無を検出し、搬送波無しを検出した時には、ＣＡＴＶ共聴ラインＬに断線等の線路障害が発生したと見做して、内部アンテナ５に切替えると共に、一般放送を受信するために局部発振周波数を可変にする構成を有するので、ＣＡＴＶ共聴ラインＬが切断しても、ＣＡＴＶシステムと切り離して個別に受信動作することが可能になる訳である。
また、告知放送受信機の背面側には、直列ユニットＵＴに対向する位置関係でコネクタＴ１とプラグＰＧとを設けた為、直列ユニットＵＴのＡＣコンセントＣＯＮおよびテレビ端子ＴＴに対してコネクタＴ１とプラグＰＧとをワンタッチで挿抜することができ、緊急の際に容易に取り外して携行し得る。
さらに、こうして直列ユニットから告知放送受信機を取り外した場合においても、ＣＡＴＶ共聴ラインＬが断線した時と同様な状態になるため、内部アンテナ５に切替えると共に、一般放送を受信すべく局部発振周波数を可変にするので、通常の携帯ラジオと同等に扱うことができる。
【００２４】
なお、上述した実施例においては、搬送波の有無に応じて固定周波数発振回路６あるいは可変周波数発振回路７のいずれかを選択的に切替える構成としたが、これに限らず、復調系をＰＬＬ（位相同期ループ）回路で構成し、搬送波の有無に応じてＶＣＯ（電圧制御発振器）を制御する方式としても良い。
また、本実施例では、ＣＡＴＶ共聴ラインＬが断線した時に内部アンテナ５に切替えると共に、一般放送を受信すべく局部発振周波数を可変にしたが、これに替えて、予め定められた周波数の非常放送や、防災無線あるいは行政無線のチャンネルを受信する形態としても良い。このようにすることで、ＣＡＴＶ共聴ラインＬが断線する規模の災害が発生した時に、迅速に防災情報を聴取することが可能になる。
【図面の簡単な説明】
【００２５】
【図１】本発明による一実施例の外観を示す外観図である。
【図２】同実施例の筺体背面に設けられるプラグＰＧおよびコネクタＴ１の配置位置を説明するための図である。
【図３】同実施例の構成を示すブロック図である。
【図４】従来例の構成を示すブロック図である。
【符号の説明】
【００２６】
１  筺体
２  キャリア検出回路（検出手段）
３  セレクタドライバ（切り換え手段）
４  表示ドライバ（表示手段）
４  表示ドライバ（表示手段）
１ｃ、１ｄ  ＬＥＤ（表示手段）
５  内部アンテナ（空中線）
６  固定周波数発振回路
７  可変周波数発振回路（切り換え手段）
ＳＥＬ１，ＳＥＬ２  セレクタ（切り換え手段）